【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
原稿を読み取るためのイメージセンサと、
モータを駆動源として、前記原稿と前記イメージセンサとの相対的な移動を行う移動手段と、
前記モータの回転に応じてエンコーダから出力されたエンコーダパルスに基づき、前記移動の方向におけるライン毎に前記イメージセンサからの受光信号を色毎に順番に蓄積し、蓄積された前記受光信号に基づく複数の色のデータを出力する出力手段と、
前記出力手段によって出力された前記複数の色のデータ各々に対して、取得したシェーディングデータに基づく、前記イメージセンサにおける暗電流による出力される前記複数の色のデータへの影響を補正するための補正値を用いて、シェーディング補正を行う補正手段と、
を有し、
前記出力手段は、前記複数の色のうち、所定の色については、前記エンコーダパルスに基づくタイミングから蓄積時間が所定時間となるように前記エンコーダパルスに非同期に決定された終了タイミングまで前記受光信号の蓄積を行い、前記複数の色のち、前記所定の色と異なる他の色については、前記エンコーダパルスに基づく開始タイミングから前記エンコーダパルスに同期して決定される終了タイミングまで前記受光信号の蓄積を行い、
前記補正手段は、出力された前記所定の色のデータと前記他の色のデータとを互いに独立して補正し、前記他の色のデータには、前記エンコーダパルスに応じた補正値を用いて補正を行うことを特徴とする画像読取装置。
【請求項２】
前記補正手段は、前記イメージセンサが有する受光画素毎の補正値を用いて、前記受光画素毎に補正を行うことを特徴とする、請求項１に記載の画像読取装置。
【請求項３】
前記補正手段は、前記他の色に対する前記シェーディング補正として、前記イメージセンサの画素毎に異なる補正値を適用する１次補正と、前記エンコーダパルスに応じて、前記イメージセンサの各画素に同じ補正値を適用する２次補正と、を行うことを特徴とする、請求項２に記載の画像読取装置。
【請求項４】
前記補正手段は、
少なくとも２つ以上の蓄積時間で取得したシェーディングデータから校正曲線を生成し、
所定のモータ速度に対応した蓄積時間を基準とした蓄積時間の変動量を求め、
前記蓄積時間の変動量に対するシェーディングデータの変動に基づき前記他の色のための前記補正値を算出することを特徴とする、請求項１乃至３のいずれか１項に記載の画像読取装置。
【請求項５】
前記補正値は、前記イメージセンサが有する複数の受光画素の平均データで算出されることを特徴とする、請求項１乃至４のいずれか１項に記載の画像読取装置。
【請求項６】
前記出力手段は、前記エンコーダパルスに基づくタイミングから、前記出力手段が有する内部タイマによるカウントによって前記蓄積時間が所定時間となるように決定された終了タイミングまで、前記所定の色の前記受光信号の蓄積を行うことを特徴とする、請求項１乃至５のいずれか１項に記載の画像読取装置。
【請求項７】
前記シェーディングデータは、黒シェーディングデータであることを特徴とする、請求項１乃至６のいずれか１項に記載の画像読取装置。
【請求項８】
前記シェーディングデータは、白シェーディングデータであることを特徴とする、請求項１乃至６のいずれか１項に記載の画像読取装置。
【請求項９】
前記モータは、ＤＣモータであることを特徴とする、請求項１乃至８のいずれか１項に記載の画像読取装置。
【請求項１０】
前記モータは、パルスモータであることを特徴とする、請求項１乃至８のいずれか１項に記載の画像読取装置。
【請求項１１】
前記イメージセンサは、原稿の前記ライン毎に、前記所定の色と前記他の色とを少なくとも含む複数の色を順次切り替えて発光し、前記原稿からの反射光を受光することで前記原稿を読み取ることを特徴とする、請求項１乃至１０のいずれか１項に記載の画像読取装置。
【請求項１２】
モータを駆動源としてイメージセンサと原稿との相対的な移動を行い、前記原稿を読み取る画像読取装置が実行する画像読取方法であって、
前記モータの回転に応じてエンコーダから出力されたエンコーダパルスに基づき、前記移動の方向におけるライン毎に前記イメージセンサからの受光信号を色毎に順番に蓄積し、蓄積された前記受光信号に基づく複数の色のデータを出力するステップと、
出力された前記複数の色のデータの各々に対して、シェーディングデータに基づく、前記イメージセンサにおける暗電流による前記複数の色のデータへの影響を補正するための補正値を用いて、シェーディング補正を行うステップと、
を含み、
前記複数の色のうち、所定の色については、前記エンコーダパルスに基づくタイミングから、蓄積時間が所定時間となるように前記エンコーダパルスに非同期に決定された終了タイミングまで前記受光信号の蓄積が行われ、前記複数の色のうち、前記所定の色と異なる他の色については、前記エンコーダパルスに基づく開始タイミングから、前記エンコーダパルスに同期して決定される終了タイミングまで前記受光信号の蓄積が行われ、
前記所定の色のデータと前記他の色のデータとは互いに独立して補正され、前記他の色のデータには、前記エンコーダパルスに応じた補正値を用いた補正が行われる、ことを特徴とする画像読取方法。
【請求項１３】
前記イメージセンサが有する受光画素毎の補正値を用いて、前記受光画素毎に補正が行われることを特徴とする、請求項１２に記載の画像読取方法。
【請求項１４】
前記他の色に対する前記シェーディング補正として、前記イメージセンサの画素毎に異なる補正値を適用する１次補正と、前記エンコーダパルスに応じて、前記イメージセンサの各画素に同じ補正値を適用する２次補正と、が行われることを特徴とする請求項１３に記載の画像読取方法。
【請求項１５】
少なくとも２つ以上の蓄積時間で取得したシェーディングデータから校正曲線が生成され、
所定のモータ速度に対応した蓄積時間を基準とした蓄積時間の変動量が求められ、
前記蓄積時間の変動量に対するシェーディングデータの変動に基づき前記他の色のための前記補正値が算出される、
ことを特徴とする、請求項１２乃至１４のいずれか１項に記載の画像読取方法。
【請求項１６】
前記補正値は、前記イメージセンサが有する複数の受光画素の平均データで算出されることを特徴とする、請求項１２乃至１５のいずれか１項に記載の画像読取方法。
【請求項１７】
前記エンコーダパルスに基づくタイミングから、内部タイマによるカウントによって前記蓄積時間が所定時間となるように決定された終了タイミングまで、前記所定の色の前記受光信号の蓄積が行われることを特徴とする請求項１２乃至１６のいずれか１項に記載の画像読取方法。
【請求項１８】
前記イメージセンサは、前記原稿の前記ライン毎に、前記所定の色と前記他の色とを少なくとも含む複数の色を順次切り替えて発光し、前記原稿からの反射光を受光することで前記原稿を読み取ることを特徴とする請求項１２乃至１７のいずれか１項に記載の画像読取方法。
【請求項１９】
コンピュータに、請求項１２乃至１８のいずれか１項に記載の画像読取方法を実行させるためのプログラム。
【手続補正２】
【補正対象書類名】明細書
【補正対象項目名】００１０
【補正方法】変更
【補正の内容】
【００１０】
本発明の一実施例による画像読取装置は、原稿を読み取るためのイメージセンサと、モータを駆動源として、前記原稿と前記イメージセンサとの相対的な移動を行う移動手段と、前記モータの回転に応じてエンコーダから出力されたエンコーダパルスに基づき、前記移動の方向におけるライン毎に前記イメージセンサからの受光信号を色毎に順番に蓄積し、蓄積された前記受光信号に基づく複数の色のデータを出力する出力手段と、前記出力手段によって出力された前記複数の色のデータ各々に対して、取得したシェーディングデータに基づく、前記イメージセンサにおける暗電流による出力される前記複数の色のデータへの影響を補正するための補正値を用いて、シェーディング補正を行う補正手段と、を有する。前記出力手段は、前記複数の色のうち、所定の色については、前記エンコーダパルスに基づくタイミングから蓄積時間が所定時間となるように前記エンコーダパルスに非同期に決定された終了タイミングまで前記受光信号の蓄積を行い、前記複数の色のち、前記所定の色と異なる他の色については、前記エンコーダパルスに基づく開始タイミングから前記エンコーダパルスに同期して決定される終了タイミングまで前記受光信号の蓄積を行う。前記補正手段は、出力された前記所定の色のデータと前記他の色のデータとを互いに独立して補正し、前記他の色のデータには、前記エンコーダパルスに応じた補正値を用いて補正を行う。